(57)【要約】【課題】  ワイヤレス信号受信機を収納する収納装置を有するワイヤレスマウスを提供する。【解決手段】  ワイヤレスマウスは、マウス主体と、ワイヤレス信号受信機と、収納装置とを有する。収納装置は、マウス主体に枢軸回転可能に結合される。弾性要素の弾性力に反応すると、収納装置の収納部品は、収納装置からワイヤレス信号受信機を取り出すように、及び／又は、収納装置にワイヤレス信号受信機を収納するように、マウス主体内から簡単に取り出される。【選択図】  図１
2006260513.tif 000002
【特許請求の範囲】
【請求項１】
コンピュータのポインタを制御するようにポインティング信号を発生するマウス主体；
前記ポインティング信号を受信し該ポインティング信号を前記コンピュータに伝送する、前記コンピュータと通信するワイヤレス信号受信機；及び
前記ワイヤレス信号受信機を収納し、収納体と、弾性要素とを有し、前記マウス主体内に配置された収納装置；
を備えたワイヤレスマウスであって、
前記収納体は、前記ワイヤレス信号受信機を有する収納部品と、前記収納体を前記マウス主体に枢軸回転可能に結合させ得るようにする第１接続部品と、前記収納体に相対して移動する、前記収納装置が第１使用状態にある際に前記マウス主体前記収納体を係合させ得るようにする締め要素を有するスライディングシートとを備え、
前記弾性要素は、前記収納装置が第２使用状態にある場合、前記収納体が前記マウス主体の内部から解放されるように、前記収納体に弾性力を提供するように、前記第１接続部品上に配置されている、
ことを特徴とするワイヤレスマウス。
【請求項２】
前記弾性要素は、第１スプリングアームと第２スプリングアームとを有し、前記マウス主体と前記収納体とに対してそれぞれ保持されることを特徴とする請求項１に記載のワイヤレスマウス。
【請求項３】
前記マウス主体内に配置された電源スイッチをさらに備え、
前記ワイヤレス信号受信機の端子は、前記収納装置が前記第１使用状態にある際、前記電源スイッチに接する、
ことを特徴とする請求項１に記載のワイヤレスマウス。
【請求項４】
前記マウス主体内に配置された、電源スイッチとスイッチタッチピースとをさらに備え、
前記スイッチタッチピースは、前記収納装置が前記第１使用状態にある際、前記電源スイッチに接する、
ことを特徴とする請求項１に記載のワイヤレスマウス。
【発明の詳細な説明】
【技術分野】
【０００１】
本発明は、ワイヤレスマウスに係り、特に、ワイヤレス受信機を主体中に収納し得るワイヤレス装置に関する。
【背景技術】
【０００２】
コンピュータ産業の発展に伴い、信号の伝送にワイヤレス伝送技術が広く使用されている。よく知られているように、ＩｒＤＡ、Ｂｌｕｅｔｏｏｔｈやこれに類する多くのワイヤレス伝送規格が使用されている。
【０００３】
加えて、コンピュータシステムに使用するため、多くのワイヤレス周辺装置が開発されている。これらの周辺装置の例には、ワイヤレスマウス、ワイヤレスイアホン、ワイヤレスキーボードなどが含まれる。これらの中で、ワイヤレスマウスは、コンピュータシステムに係る最もポピュラーなワイヤレス周辺装置である。
【０００４】
ワイヤレスマウスは架線接続の必要がないため便利であるが、幾つかの欠点がある。例えば、ワイヤレスマウス動作時、対応するワイヤレス信号受信機が必要である点である。他の場所でこのワイヤレスマウスを使用する場合、対応するワイヤレス信号受信機を運搬する必要がある。言い換えれば、ワイヤレスマウス及び号受信機が分離して収納されている場合、ユーザーは、ワイヤレスマウスか、ワイヤレス信号受信機かのいずれかを失くす可能性がある。かかる環境において、ワイヤレスマウスは通常の動作をし得ない。
【発明の開示】
【発明が解決しようとする課題】
【０００５】
本発明の目的は、ワイヤレス信号受信機を収納する収納装置を有するワイヤレスマウスを提供することである。
【課題を解決するための手段】
【０００６】
本発明の一態様によると、ワイヤレスマウスが提供される。ワイヤレスマウスは、マウス主体と、ワイヤレス信号受信機と、収納装置とを有する。マウス主体は、コンピュータのポインタを制御するポインティング信号を発生するのに使用する。ワイヤレス信号受信機は、コンピュータと通信し、ポインティング信号を受信し、ポインティング信号をコンピュータに伝送する。収納装置は、マウス主体中に配置され、ワイヤレス信号受信機を収納し、収納体と、弾力要素とを有する。収納体は、ワイヤレス信号受信機を収納する収納部位と、マウス主体に枢軸回転可能に収納体を結合させ得る第１接続部位と、収納装置が第１使用状態にある場合、収納体をスライディングシートを介してマウス主体に係合され得るようにする、収納体に相対して移動し且つ締め要素を有するスライディングシートとを備える。弾性要素は、第１接続部位上に配置され、収納装置が第２使用状態にある場合収納体がマウス主体の内部から分離されるように、収納体に弾性力を提供する。
【０００７】
好ましくは、弾性要素は、マウス主体及び収納体にそれぞれ保持される第１スプリングアームと第２スプリングアームとを有するねじりバネである。
【０００８】
一実施例において、ワイヤレスマウスは、マウス主体中に配置された電源スイッチをさらに備える。ワイヤレス信号受信機の端子は、収納装置が第１使用状態にある場合、電源スイッチに触れている。
【０００９】
一実施例において、ワイヤレスマウスは、マウス主体中に配置された電源スイッチと、スイッチタッチピースとをさらに備える。スイッチタッチピースは、収納装置が第１使用状態にある場合、出力スイッチに接触する。
【００１０】
本発明に係る上述の目的及び利点は、以下の詳細な記載及び添付した図面を参照すると、当業者により即座に明らかとなるであろう。
【発明の効果】
【００１１】
ワイヤレスマウスか、ワイヤレス信号受信機かのいずれかを失くす可能性が低下された、ワイヤレス信号受信機を収納し得るワイヤレスマウスを提供する。
【発明を実施するための最良の形態】
【００１２】
図１は、本発明の第１実施例によるワイヤレスマウスの拡大概略図を示す。図１のワイヤレスマウス１０００は、マウス主体１００と、ワイヤレス信号受信機２００と、収納装置３００とを備える。収納装置３００は、収納体３０１と、弾性要素３０２とを備える。本実施例において、弾性要素３０２は、第１スプリングアーム３０２１と第２スプリングアーム３０２２とを有するねじりバネである。収納体３０１は、収納部品３０１１と、第１接続部品３０１２と、ピボットシャフト３０１２Ａと、スライティングシート３０１３とを備える。スライティングシート３０１３は、締め要素３０１３Ａを有する。第１接続部品３０１２は、接続ホールを有する２つのタブ３０１２Ｂを備える。加えて、マウス主体１００には、第２接続部品１０１と、締め部品１０２と、電源スイッチ４００とがある。
【００１３】
図１のワイヤレスマウスの動作機能を以下に詳細に説明する。収納装置３００を組み立てるため、収納体３０１に係合されるように、収納体３０１に相対した線形方向Ａ−Ｂへとスライティングシート３０１３を移動する。弾性要素３０２の螺旋部分は、第１接続部品３０１２の２つのタブ３０１２Ｂ間に配列される。その後、ピボットシャフト３０１２Ａは、２つのタブ３０１２Ｂの接続ホールと、マウス主体１００内部の第２接続部品１０１の接続ホールと、弾性要素３０２の螺旋部分に形成された貫通部とを貫通する。かかる様式において、収納体３０１は、マウス主体１００に枢軸回転可能に結合される。
【００１４】
図２に示すように、収納体３０１が枢軸回転可能にマウス主体１００に一旦結合されると、弾性要素３０２の第１スプリングアーム３０２１は、マウス主体１００内に保持される。ところが、弾性要素３０２の第２スプリングアーム３０２２は、収納体３０１に対して保持される。弾性要素３０２のねじり力に起因して、収納体３０１は、マウス主体１００から持ち上げられることが可能であり、これにより、収納部品３０１１を露出する。
【００１５】
この状況において、ワイヤレス信号受信機２００は、収納装置３００の収納部品３０１１内に配置されてもよい。スライティングシート３０１３の締め要素３０１３Ａがマウス主体１００内で締め部品１０２に係合されるように収納装置３００が押し下げられた後、収納装置３００は、図３に示すように、マウス主体１００内に収納される。ワイヤレス信号受信機２００が収納装置３００に収納され収納装置３００がマウス主体１００に収納される場合、このワイヤレスマウスは、使用中ではない。この状況において、ワイヤレス信号受信機２００の端子（ｔｅｒｍｉｎａｌ）は、ワイヤレスマウスをオフとするように、収納装置３００に接し、これにより、電力消費を削減する。
【００１６】
図３を参照すると、ワイヤレスマウスが動作される場合、スライティングシート３０１３は、マウス主体１００の後端部へと矢印の方向Ａに向かって移動される。なお、スライティングシート３０１３の締め要素３０１３Ａは、マウス主体１００内の締め部品１０２から解放される。弾性要素３０２のねじり力に反応して、収納体３０１は、マウス主体１００から持ち上げられ、これにより、図２に示すように、収納部品３０１１を露出する。この状況において、ワイヤレス信号受信機２００は、収納装置３００から取り出されてもよい。続いて、収納装置３００は、押し下げられ、スライティングシート３０１３は、スライティングシート３０１３の締め要素３０１３Ａがマウス主体１００内の締め部品１０２に係合されるように、マウス主体１００の前端部に向かって矢印の方向Ｂへと移動される。この様式において、収納装置３００は、マウス主体１００内に収納される。この状況において、ワイヤレス信号受信機２００は収納体３０１の収納部品３０１１から分離されるので、ワイヤレス信号受信機２００の端子は、もはや収納装置３００に接せず、従って、ワイヤレスマウスは、オン状態に保持される。
【００１７】
図４は、本発明の第２実施例によるワイヤレスマウスの拡大概略図を示す。図４のワイヤレスマウス５０００は、マウス主体５００と、ワイヤレス信号受信機６００と、収納装置７００とを備える。収納装置７００は、収納体７０１と、弾性要素７０２とを備える。本実施例において、弾性要素７０２は、第１スプリングアーム７０２１と第２スプリングアーム７０２２とを有するねじりバネである。収納体７０１は、収納部品７０１１と、第１接続部品７０１２と、ピボットシャフト７０１２Ａと、スライディングシート７０１３と、スライディングシート固定部材７０１４とを備える。スライディングシート７０１３は、締め要素７０１３Ａを有する。第１接続部品７０１２は、接続ホールを有する２つのタブ７０１２Ｂを備える。加えて、マウス主体５００には、第２接続部品５０１と、締め部品５０２と、電源スイッチ８００とがある（図７参照）。
【００１８】
図５に示すように、図４の収納装置７００は、マウス主体５００に枢軸回転可能に結合されているが、マウス主体５００内に収納されてはいない。対して、図６は、図４の収納装置７００がマウス主体５００内に収納されていることを概略的に示す図である。
【００１９】
図４の実施例において、含まれる構成部材は、図１に示す部材と同様であって、重複するので説明しない。これらの実施例との主要な差異は、収納装置の位置である。図１の収納装置は、マウス主体の前面に配置される。一方、図４の収納装置は、マウス主体の背面に配置される。さらに、これら２つの実施例の電源スイッチのタッチング手段は異なる。
【００２０】
図７は、第２実施例によるワイヤレススイッチのスイッチタッチピース７００４を示す。スイッチタッチピース７００４は、通常、マウス主体５００の上部カバー５００Ａ上に固定され、回転シャフト７００４Ａを備える。スイッチタッチピース７００４に外部応力が適用されていない場合、スイッチタッチピース７００４は、支点として機能する回転シャフト７００４Ａで自由に回転される。ワイヤレス信号受信機６００が収納装置７００の収納部品７０１１内に一度収納されると、ワイヤレス信号受信機６００の端子は、スイッチタッチピース７００４の一旦に対して保持される。この状況において、スイッチタッチピース７００４の他端は、電源スイッチ８００にタッチし、従って、電源スイッチ８００がオフとなる。他方、ワイヤレス信号受信機６００が動作を目的として収納部品７０１１から取り外されると、ワイヤレス信号受信機６００は、もはやスイッチタッチピース７００４に対して保持されない。なお、スイッチタッチピース７００４は、電源スイッチ８００に接せ得ず、従って、電源スイッチ８００は、オンとなる。
【００２１】
上述の記載によると、収納装置の収納スペースは、スライディングシートをマウス主体の後端部に向かって移動させる際、ユーザーに曝露され、これにより、ワイヤレス信号受信機を取り外し或いは挿入するのを促進する。逆に、収納装置が押し下げられスライディングシートがマウス主体の前端部に向かって移動させられると、収納装置はマウス主体内に収納され得る。従って、ワイヤレスマウスの収納装置は、ワイヤレス信号受信機を収納するという利点を有する。
【００２２】
最も実用的で好適な実施例と考えられる意味において本発明を述べてきたが、本発明は、開示した実施例に限定されない。逆に、本発明は、最も広い意味で解釈された添付した請求項の精神及び範囲に含まれる種々の改変及び同様の配列を包含することを意図しており、本発明は、かかる改変及び同様の構造のすべてを包含する。
【図面の簡単な説明】
【００２３】
【図１】本発明の第１実施例によるワイヤレスマウスの拡大概略図である。
【図２】第１使用状態にある図１のワイヤレスマウスを概略的に示す。
【図３】第２使用状態にある図１のワイヤレスマウスを概略的に示す。
【図４】本発明の第２実施例によるワイヤレスマウスの拡大概略図である。
【図５】第１使用状態にある図４のワイヤレスマウスを概略的に示す。
【図６】第２使用状態にある図４のワイヤレスマウスを概略的に示す。
【図７】スイッチタッチピースが電源スイッチに接触させ得るように、図４のワイヤレスマウスの電源スイッチがオンになっていることを示す概略図である。
【符号の説明】
【００２４】
１００        マウス主体
１０１        第２接続部品
１０２        締め部品
２００        ワイヤレス信号受信機
３００        収納装置
３０１        収納体
３０２        弾性要素
５００        マウス主体
５００Ａ      上部カバー
５０１        第２接続部品
５０２        締め部品
６００        ワイヤレス信号受信機
７００        収納装置
７０１        収納体
７０２        弾性要素
８００        電源スイッチ
１０００      ワイヤレスマウス
３０１１      収納部品
３０１２      第１接続部品
３０１２Ａ    ピボットシャフト
３０１２Ｂ    タブ
３０１３      スライティングシート
３０１３Ａ    締め要素
３０２１      第１スプリングアーム
３０２２      第２スプリングアーム
５０００      ワイヤレスマウス
７００４      スイッチタッチピース
７００４Ａ    回転シャフト
７０１１      収納部品
７０１２      第１接続部品
７０１２Ａ    ピボットシャフト
７０１２Ｂ    タブ
７０１３      スライディングシート
７０１３Ａ    締め要素
７０１４      スライディングシート固定部材
７０２１      第１スプリングアーム
７０２２      第２スプリングアーム
【図１】
2006260513.tif 000003
【図２】
2006260513.tif 000004
【図３】
2006260513.tif 000005
【図４】
2006260513.tif 000006
【図５】
2006260513.tif 000007
【図６】
2006260513.tif 000008
【図７】
2006260513.tif 000009